(57)【特許請求の範囲】
【請求項１】
画像情報を受信する手段と、
非接触に情報が読み書きされる記憶手段へ、受信した前記画像情報の全部を非接触に書き込む手段と、
前記記憶手段をシートに貼り付ける手段と、
受信した前記画像情報の一部をシートに画像形成する手段と、
前記記憶手段が貼り付けられ、かつ、受信した前記画像情報の一部が画像形成されたシートを排出する排出手段と、
排出されたシートに貼り付けられた前記記憶手段から非接触に情報を読み出す手段と、
読み出された画像情報の前記一部を除く残り部分の画像情報を画像形成する手段から成ることを特徴とする画像形成装置。
【発明の詳細な説明】
【０００１】
【発明の属する技術分野】
本発明は、電磁波を用いてデータの送受信を行う非接触型情報媒体、特に非接触メモリを有する画像形成装置に関するものである。
【０００２】
【従来の技術】
従来、情報媒体としては接触型のものが多く用いられてきたが、接触型はピンをコネクタに差し込んで信号をやり取りするもので、ピンの数を増やすことによって信号の転送幅を増やすことが可能となり、情報の読み出し・書き込みを高速で行うことができるメリットがあるが、その反面、信号をやり取りするための接触部が露出しているため、汚染による接触不良や耐挿抜性の低下等の問題が発生し易かった。
【０００３】
これに対して、非接触型は導体が露出しないため、上記のような問題の発生がなく、特に汚れた環境下での使用が有利であることから各方面で実用化されている。
【０００４】
非接触型で電力の供給や信号の送受信を行う手段としては、光や電磁結合、電波等が提案されているが、コストや消費電力等を考慮して電磁結合方式が実用化され始めた。
【０００５】
一方、電話回線を介して受信した画像をプリントするものとして、ファクシミリがある。着信した際に複数枚の画像を受信して、それを１枚ずつプリントアウトして排紙部に複数枚が重ねられる。新たな着信を受けたときは更にその上に重ねて新たな複数枚が重ねられる。
【０００６】
【発明が解決しようとする課題】
しかし、複数枚の用紙が重なった状態では、時系列的に順番になっているが、着信ごとのまとまりがなく、一度シャッフルしてしまうと、着信ごとに分けるのは大変困難である。
【０００７】
本発明は上記問題に鑑みてなされたもので、その目的とする処は、複数ページの複数の受信を受けた場合でも、ページの順番が入れ替わったり、他の受信のページと混じり合うことがない画像形成装置を提供することにある。
【０００８】
【課題を解決するための手段】
上記目的を達成するため、本発明は、画像情報を受信する手段と、非接触に情報が読み書きされる記憶手段へ、受信した前記画像情報の全部を非接触に書き込む手段と、前記記憶手段をシートに貼り付ける手段と、受信した前記画像情報の一部をシートに画像形成する手段と、前記記憶手段が貼り付けられ、かつ、受信した前記画像情報の一部が画像形成されたシートを排出する排出手段と、排出されたシートに貼り付けられた前記記憶手段から非接触に情報を読み出す手段と、読み出された画像情報の前記一部を除く残り部分の画像情報を画像形成する手段から成ることを特徴とする画像形成装置を構成したことを特徴とする。
【０００９】
【発明の実施の形態】
図１は本発明に係る画像形成装置要部の断面図であり、図示の画像形成装置１はプリンタであって、電子写真技術を用いた画像形成を行う。２は読取部であり、これは原稿台ガラス１２上に置かれた原稿７の画像をＣＣＤ１１で読み取ってデジタル情報に変換する。この変換情報はプリンタ１ヘの入力データとなり、又、ファクシミリ通信のデータにもなる。
【００１０】
４は原稿を押さえるための圧板と兼用される自動原稿で送る自動原稿送り装置であり、この自動原稿送り装置４に配置された非接触メモリリーダ・ライタ６は非接触にメモリを読み書きするものであって、原稿７に貼り付けられたメモリを読み書きする。３はラベラーであり、これはリール９からラベルを分離してシート８に貼り付ける。又、ラベラー３には、非接触にメモリを読み書きする非接触メモリリーダ・ライタ５が配置されている。
【００１１】
図２に非接触メモリの構成を示す。
【００１２】
図２（ａ）は樹脂材料等から構成された基台１３の中に、ループ状に構成されたアンテナ（コイル）部１０２とこのアンテナ（コイル）部１０２に接続された集積回路１０１が埋め込まれた構成を示している。非接触メモリリーダ・ライタ等から発生した外部磁界がループアンテナ（コイル）部１０２に入り込むと、その外部磁界によってループアンテナ（コイル）部１０２に誘導電流が流れ、その誘導電流によって集積回路１０１のメモリ内のデータの変換や書き換え又は消去等を行うとともに、その誘導電流は集積回路１０１の電源ともなり得るものである。
【００１３】
図２（ｂ）は非接触メモリの内部構成を示すブロック図であり、主に集積回路１０１の内部構成を示すブロック図を示すものである。非接触メモリリーダ・ライタから送信される信号をループアンテナ（コイル）部１０２で受信し、電源２０３で集積回路１０１が動作するための電源を生成するとともに、復調器２０２で受信したデータを復調してメモリ回路２０４のデータの変換や書き換え又は消去等を行う。又、メモリ回路２０４から読み出されるデータは、変調器２０１で変調されて非接触メモリリーダ・ライタ側へ送信される。
【００１４】
図３は非接触メモリリーダ・ライタ３００の構成を示すブロック図であり、同図に示すように、プロセッサ３０１の制御信号に基づき変調器３０２で変調された信号を分配器３０４を介してアンテナ３０５より送信するとともに、アンテナ３０５より受信した信号は、分配器３０４を介して復調器３０３で復調されてプロセッサ３０１に送られる。
【００１５】
図４はテープ状の台紙１０が巻き取られたリール９の概観図である。台紙１０には等間隔でメモリパック１４が載っている。図５は台紙１０を拡大した図であり、図６は図５のＡ−Ａ断面図である。
【００１６】
台紙１０のメモリパック１４は、非接触メモリ１３とそれを覆う保護部材から成り、裏面には粘着剤１６が付いており、台紙１０から剥がすとシートに貼り付けることができる。尚、非接触メモリ１３は集積回路１０１とコイル１０２から成っている。
【００１７】
図７は原稿７又はシート８ｃの一例を示す図であり、前記メモリパック１４が貼り付けられている。又、画像として受信した先頭ページがプリントされており、受信画像の全てがメモリパック１４に記憶されている。
【００１８】
図８は画像形成装置のブロック図と電話回線２６への接続図である。１，２，３，４は図１で説明した物理的な配置を表す。制御部１７はＲＯＭ１８に格納されたプログラムを実行する。１９はプログラム実行時に使う読み書き可能な記憶手段であるＲＡＭであり、電池２２でバックアップされていて電源が落ちても不揮発に記憶している。
【００１９】
２０はプリンタ入出力であり、図示しないセンサー、モータ、クラッチ、高圧電源、ヒータ等から成る。制御部１７はプリンタ入出力２０を制御してプリント動作を行う。２１は通信部であり、これは電話回線に接続して別のファクシミリ端末２７に画像データを送ることができる。図では２７は１つしかないが、電話回線には無数のファクシミリ端末が接続されている。
【００２０】
２３は読取部入出力であり、ランプ２８、ＣＣＤ１１、図示しないモータ等から成る。制御部１７は、読取部入出力２３を制御して原稿７の画像を画像データに変換することができる。２４はラベラー入出力であり、図示しないモータ、クラッチから成る。制御部１７はラベラー入出力２４を制御して、リール９に巻きつけられた台紙１０から、ラベル状になったメモリパック１４を剥がしてシートに貼り付ける。
【００２１】
５はラベラー内の台紙１０の搬送路近傍に配置された非接触メモリリーダ・ライタである。その構造は非接触メモリリーダ・ライタ３００と同じである。制御部１７は、非接触メモリリーダ・ライタ５を制御して台紙１０に載ったメモリパツク１４の非接触メモリ１３の読み書きを行う。
【００２２】
２５は自動原稿送り装置４の原稿送り入出力であり、図示しないモーター、紙検知センサー、ソレノイド等から成る。制御部１７は、原稿送り入出力２５を制御して、図１０に示す原稿給紙台４０の上に置かれた原稿群４１を１枚ずつ原稿７の位置に搬送する。
【００２３】
６は自動原稿送り装置４内の原稿７近傍に配置された非接触メモリリーダ・ライタである。その構造は非接触メモリリーダ・ライタ３００と同じである。制御部１７は、非接触メモリリーダ・ライタ５を制御して原稿７に貼られたメモリパック１４の非接触メモリ１３の読み書きを行う。
【００２４】
図９はラベラー３の構成を示すもので、プリンタ１からシート８ａをローラ２９で受けて搬送ベルト３０で搬送し、８ｂの位置を通過してローラ３１によりシートを８ｃに示すように排出する。又、リール９から台紙１０を搬送し、最後にローラ３４に巻き取る。そのとき、台紙１０上のメモリパック１４は、メモリパック１４ａ→１４ｂ→１４ｃの順で搬送される。３２は台紙１０とラベルを剥がすための部材であり、これは摩擦抵抗の低い部材で構成されている。圧力ローラ３３は、ラベルをシート８ｂに押し付ける。これによりメモリパック１４ｃはシート８ｂに固定される。
【００２５】
図１０は読取部４と自動原稿送り装置４４を示している。原稿７は原稿台ガラス１２の上に使用者により置かれ、ランプ２８の光は原稿７を照らし、画像光は破線の光路を鏡３５，３６，３７とレンズ３８に導かれてＣＣＤ１１に到達する。ランプ２８と鏡３５はメカ的に連結されていて図の矢印方向に動いて原稿を走査する。自動原稿送り装置４４に配置された非接触メモリリーダ・ライタは、原稿７に貼られたメモリパック１４の非接触メモリ１３を読み書きする。
【００２６】
次に、図１２に示すフローチャートに基づいて一連の動作を説明する。これは受信動作で、一例として３枚の画像を受信した場合のフローを示す。
【００２７】
先ず、制御部１７は通信部２１を制御して、一例として３枚の図１４に示す画像３５，３６，３７を順々に受信してＲＡＭ１９に一時記憶する（Ｓ２）。
【００２８】
次に、制御部１７は、プリンタ入出力２０を制御して１枚目の画像３５をプリントし、図１の８ａの位置に生成する（Ｓ３）。生成された画像を図７の８ａに示す。又、制御部１７は、ラベラー入出力２４と非接触メモリリーダ・ライタ５を制御し、ＲＡＭ１９に一時記憶された画像３５，３６，３７の画像データを１４ｂの位置にあるメモリパック１４に書き込む（Ｓ４）。図９中の１４ｃの位置で、このメモリパック１４を、ベルト３０により８ｂの位置に送られてきたシート８に貼り付ける（Ｓ５）。このシート８は８ｃの位置を通過して排出される（Ｓ６）。結果として、受信画像のうち１枚目の画像３５がプリントされたものに、メモリパック１４が貼り付けられたものが生成される（図７の８ｃ）。又、そのメモリパック１４には全画像３５，３６，３７の画像データが記憶されている。
【００２９】
次に、図１３に示すフローチャートを用いて、図７の８ｃのシートを使用して、受信画像の２ページ目画像３６と３ページ目画像３７をプリントする一連の動作について説明する。
【００３０】
オペレータによりシートが図１０の原稿給紙台４０上の４１の位置に図７の８ｃのシートがセットされており、制御部１７は自動原稿送り装置４４の入出力２５を制御し、原稿を４１位置から位置７にセットする（Ｓ９）。
【００３１】
次に、制御部１７は、非接触メモリリーダ・ライタ５を制御し、原稿に貼り付けられたメモリパック１４から画像３６，３７の画像データを読み出し、ＲＡＭ１９に記憶する（Ｓ１０）。続いて制御部１７は、プリンタ入出力２０を制御し、ＲＡＭ１９に格納された画像３６，３７の画像データをプリントする（Ｓ１１）。これにより、オペレータは、原稿を含め、画像３５，３６，３７のプリントされたシートを入手した。つまり、先に受信した画像３５，３６，３７の全てのプリントされたシートを入手した。
【００３２】
【発明の効果】
以上の説明で明らかなように、本発明によれば、画像情報を受信する手段と、非接触に情報が読み書きされる記憶手段へ、受信した前記画像情報の全部を非接触に書き込む手段と、前記記憶手段をシートに貼り付ける手段と、受信した前記画像情報の一部をシートに画像形成する手段と、前記記憶手段が貼り付けられ、かつ、受信した前記画像情報の一部が画像形成されたシートを排出する排出手段と、排出されたシートに貼り付けられた前記記憶手段から非接触に情報を読み出す手段と、読み出された画像情報の前記一部を除く残り部分の画像情報を画像形成する手段から成ることを特徴とする画像形成装置を構成したため、複数ページの複数の受信を受けた場合でも、ページの順番が入れ替わったり、他の受信のページと混じり合うことがないという効果が得られる。
【図面の簡単な説明】
【図１】本発明に係る画像形成装置要部の断面図である。
【図２】本発明に係る画像形成装置の非接触メモリの構成図である。
【図３】本発明に係る画像形成装置の非接触メモリリーダ・ライタの構成図である。
【図４】本発明に係る画像形成装置の非接触メモリの梱包形態を示す図である。
【図５】本発明に係る画像形成装置の非接触メモリの梱包形態を示す図である。
【図６】本発明に係る画像形成装置の非接触メモリの梱包形態を示すずである。
【図７】本発明に係る画像形成装置の非接触メモリを用いた受信出力シートの説明図である。
【図８】本発明に係る画像形成装置の構成と電話回線への接続を示す図である。
【図９】本発明に係る画像形成装置のラベラーの断面図である。
【図１０】本発明に係る画像形成装置の自動原稿送り装置と読取部の断面図である。
【図１１】本発明に係る画像形成装置の自動原稿送り装置と読取部の透視図である。
【図１２】本発明に係る画像形成装置の受信と受信出力シート生成の手順を示すフローチャートである。
【図１３】本発明に係る画像形成装置の受信画像出力の手順を示すフローチャートである。
【図１４】３ページの受信画像の例を示す図である。
【符号の説明】
１        プリンタ（画像形成装置）
２        読取部
３        ラベラー
４        自動原稿送り装置
５，６    非接触メモリリーダ・ライタ
７        原稿
８        シート
９        リール
１０      台紙
１１      ＣＣＤ
１２      原稿台ガラス
１３      非接触メメモリ
１４      メモリパック
１６      粘着剤
１７      制御部
１８      ＲＯＭ
１９      ＲＡＭ
２０      プリンタ入出力
２１      通信部
２２      電池
２３      読取部入出力
２４      ラベラー入出力
２５      原稿送り入出力
【図１】
0004510336.tif 000002
【図２】
0004510336.tif 000003
【図３】
0004510336.tif 000004
【図４】
0004510336.tif 000005
【図５】
0004510336.tif 000006
【図６】
0004510336.tif 000007
【図７】
0004510336.tif 000008
【図８】
0004510336.tif 000009
【図９】
0004510336.tif 000010
【図１０】
0004510336.tif 000011
【図１１】
0004510336.tif 000012
【図１２】
0004510336.tif 000013
【図１３】
0004510336.tif 000014
【図１４】
0004510336.tif 000015